(57)【要約】【課題】カバーの内側に勢い良く水が浸入することを防止する。【解決手段】第２半割カバー５０Ｙの第２分割端縁部５７Ｙには、ロック孔６１が開口された枠状をなすロック片６０が突設されるとともに、第１半割カバー５０Ｘの第１分割端縁部５７Ｘの外面に、ロック孔６１に嵌って係止するロック突部６３が設けられる。第１半割カバー５０Ｘの第１分割端縁部５７Ｘの端面５７Ｘａが、同端面５７Ｘａの厚さ方向の外端から内端に向けて次第に突出した傾斜面７５Ｘとして、第２半割カバー５０Ｙの第２分割端縁部５７Ｙの端面５７Ｙａが、同端面５７Ｙａの厚さ方向の外端から内端に向けて次第に後退した傾斜面７５Ｙとして形成されている。【選択図】図１４
2010009875.tif 000002
【特許請求の範囲】
【請求項１】
電線の端末に装着された端子金具が後面から挿入され前面が相手ハウジングとの嵌合面となるハウジングと、
このハウジングの後面に装着されこの後面から導出されたのち同後面と略平行をなす方向に屈曲された電線群を覆う電線カバーとが具備され、
かつこの電線カバーが、前記ハウジングの後面と直角をなす分割面で分割された一対の半割カバーから構成され、
両半割カバーのうち一方の半割カバーの分割端縁部からは他方の半割カバー側へ突出する弾性変位可能なロック片が設けられるとともに、他方の半割カバーの分割端縁部には前記ロック片に係止するロック部が設けられ、前記ロック片が前記ロック部に係止することにより、前記両半割カバーが、前記分割端縁部の対向した端面同士を接合させた合体状態にロックされるようにしたものであって、
前記各半割カバーの分割端縁部における互いに対向する端面が、その分割端縁部の厚さ方向に対して交差する向きに沿った面部を備えた形状に形成されていることを特徴とする電線カバー付きコネクタ。
【請求項２】
前記両半割カバーのうち一方の半割カバーの分割端縁部の端面が、同端面の厚さ方向の外端から内端に向けて次第に突出した傾斜面として形成されるとともに、他方の半割カバーの分割端縁部の端面が、同端面の厚さ方向の外端から内端に向けて次第に後退した傾斜面として形成されていることを特徴とする請求項１記載の電線カバー付きコネクタ。
【請求項３】
前記両半割カバーのうち一方の半割カバーの分割端縁部の端面が、同端面の厚さ方向の中央が次第に突出した山形面として形成されるとともに、他方の半割カバーの分割端縁部の端面が、同端面の中央部が次第に後退した谷形面として形成されていることを特徴とする請求項１記載の電線カバー付きコネクタ。
【請求項４】
前記両半割カバーのうち一方の半割カバーの分割端縁部には、他方の半割カバーの分割端縁部の外面を覆う覆い部が設けられ、この覆い部に、ロック孔が開口された枠状をなすロック片が形成されるとともに、他方の半割カバーの分割端縁部の外面に、前記ロック片のロック孔に嵌って係止するロック部が設けられていることを特徴とする請求項１ないし請求項３のいずれか一項に記載の電線カバー付きコネクタ。
【請求項５】
前記ロック部における前記ロック片と対向する面には、このロック片の先端に当接して同ロック片の先端を前記ロック部に乗り上げさせるように案内するテーパ状のガイド面が設けられたものであって、前記ロック部は、対応する半割カバーの分割端縁部の外面において端縁から所定寸法内方に入った位置に形成されていることを特徴とする請求項１ないし請求項４のいずれか一項に記載の電線カバー付きコネクタ。
【発明の詳細な説明】
【技術分野】
【０００１】
本発明は、電線カバー付きコネクタに関する。
【背景技術】
【０００２】
従来、この種の電線カバー付きコネクタの一例として、引用文献１に記載されたものが知られている。このものは、電線の端末に装着された端子金具が挿入されたハウジングの後面にＬ形の筒状をなすカバーが装着され、ハウジングの後面から引き出された電線群がカバー内で例えば上方に屈曲されて同方向に導出されるようになっている。ここでカバーは、左右一対の半割カバーにより構成され、一方の半割カバーの分割端縁部から他方の半割カバー側へ突出する弾性変位可能なロック片が、他方の半割カバーの分割端縁部に設けられたロック部に係止することにより、両半割カバーが、分割端縁部の対向した端面同士を接合させた合体状態にロックされるようになっている。すなわちカバーは、両半割カバーの合わせ目を後方に露出させた状態でハウジングの後面に装着された状態となる。
【特許文献１】特開２００６−２４４７６６公報
【発明の開示】
【発明が解決しようとする課題】
【０００３】
ところで、上記のようなカバー付きのコネクタが例えば自動車のエンジンルームに配設されると、洗車用の高圧洗浄水を受ける可能性がある。より具体的には、この種のコネクタは、エンジンルーム内に予め設けられた相手コネクタに対して嵌合接続される場合が多いが、その際、同コネクタの後面側には嵌合操作用のスペースが必要であり、このスペースが逆に高圧洗浄水の浸入を許容することとなって、同スペースに浸入した洗浄水が、後方に露出しているカバーの合わせ目に当たるようになる。
【０００４】
一方、両半割カバーを合体状態にロックする手段として、弾性撓みする片持ち状のロック片を相手のロック部に係止する機構が採用された場合、ロック片の弾性撓みを許容するべく、同ロック片の係止部と相手のロック部との間には、所定のクリアランスが必要となる。そして、このクリアランスがあるために、両半割カバーの合わせ目には隙間ができる可能性があり、上記のように高圧洗浄水が合わせ目に当たった場合に、その隙間を通って勢い良くカバーの内部に突入するおそれがある。そうすると、例えば防水用として電線の引出口に嵌着されたゴム栓に洗浄水が強く当たって、ゴム栓を変形させつつ内部に浸水したり、さらにはゴム栓を損傷させてしまう等のおそれがあった。  
本発明は上記のような事情に基づいて完成されたものであって、その目的は、カバーの内側に勢い良く水が浸入することを防止するところにある。
【課題を解決するための手段】
【０００５】
本発明の電線カバー付きコネクタは、電線の端末に装着された端子金具が後面から挿入され前面が相手ハウジングとの嵌合面となるハウジングと、このハウジングの後面に装着されこの後面から導出されたのち同後面と略平行をなす方向に屈曲された電線群を覆う電線カバーとが具備され、かつこの電線カバーが、前記ハウジングの後面と直角をなす分割面で分割された一対の半割カバーから構成され、両半割カバーのうち一方の半割カバーの分割端縁部からは他方の半割カバー側へ突出する弾性変位可能なロック片が設けられるとともに、他方の半割カバーの分割端縁部には前記ロック片に係止するロック部が設けられ、前記ロック片が前記ロック部に係止することにより、前記両半割カバーが、前記分割端縁部の対向した端面同士を接合させた合体状態にロックされるようにしたものであって、前記各半割カバーの分割端縁部における互いに対向する端面が、その分割端縁部の厚さ方向に対して交差する向きに沿った面部を備えた形状に形成されているところに特徴を有する。
【０００６】
上記構成によれば、両半割カバーの分割端縁部の端面の間、すなわち合わせ目に図らずも隙間ができ、同隙間に向けて高圧の水が当てられたとしても、その隙間中には、水が突入する方向と交差する向きの面部があるから、その面部に当たることで水の勢いが抑えられ、すなわち高圧の水が勢い良くカバーの内部に浸入することが防止される。
【０００７】
なお、以下のような構成としてもよい。  
（１）前記両半割カバーのうち一方の半割カバーの分割端縁部の端面が、同端面の厚さ方向の外端から内端に向けて次第に突出した傾斜面として形成されるとともに、他方の半割カバーの分割端縁部の端面が、同端面の厚さ方向の外端から内端に向けて次第に後退した傾斜面として形成されている。両半割カバーの合わせ目に突入した水は、主に内側の傾斜面に当たることでその勢いが抑制される。
【０００８】
（２）前記両半割カバーのうち一方の半割カバーの分割端縁部の端面が、同端面の厚さ方向の中央が次第に突出した山形面として形成されるとともに、他方の半割カバーの分割端縁部の端面が、同端面の中央部が次第に後退した谷形面として形成されている。両半割カバーの合わせ目の隙間が斜めであることに加えて途中で屈曲されているから、水が浸入した場合の勢いがさらに抑制される。
【０００９】
（３）前記両半割カバーのうち一方の半割カバーの分割端縁部には、他方の半割カバーの分割端縁部の外面を覆う覆い部が設けられ、この覆い部に、ロック孔が開口された枠状をなすロック片が形成されるとともに、他方の半割カバーの分割端縁部の外面に、前記ロック片のロック孔に嵌って係止するロック部が設けられている。  
覆い部を設けることにより、両半割カバーの合わせ目に隙間ができた場合もその入口が塞がれるが、ロック片が、ロック孔が開口された枠状をなす場合は、ロック片が設けられた領域において、ロック孔を通して合わせ目にできた隙間が外部に露出した状態となる。このような構造のものについても、合わせ目に水が浸入した場合にその勢いが抑制される。
【００１０】
（４）前記ロック部における前記ロック片と対向する面には、このロック片の先端に当接して同ロック片の先端を前記ロック部に乗り上げさせるように案内するテーパ状のガイド面が設けられたものであって、前記ロック部は、対応する半割カバーの分割端縁部の外面において端縁から所定寸法内方に入った位置に形成されている。  
ロック部が分割端縁部の外面の端縁に形成されていると、合わせ目付近に向けられた水のうち、ロック部のガイド面に当たった水が、同ガイド面に沿って流下してそのまま合わせ面の隙間に浸入する可能性がある。その点、本構成では、ロック部が、分割端縁部の外面の端縁から内側に入った位置に形成されているから、合わせ目付近に水が向けられた場合、端縁に当たった水はそのまま跳ね返され、またロック部のガイド面に沿って流下する水があった場合にはその跳ね返った水により合わせ目に向かうことが邪魔され、もって合わせ目の隙間に浸入する水量そのものを減少させることができる。
【発明の効果】
【００１１】
本発明によれば、半割カバーの合わせ目からカバーの内側に勢い良く水が突入することを防止できる。
【発明を実施するための最良の形態】
【００１２】
＜実施形態１＞
本発明の実施形態１を図１ないし図１７によって説明する。本実施形態では、ハイブリッドタイプの電線カバー付きコネクタＣを例示しており、図１に示すように、大小２種類の端子金具が収容されるハウジング１０と、ハウジング１０の後面１０Ａに装着されるカバー４０とが備えられている。  
ハウジング１０は、図２ないし図４にも示すように、合成樹脂材により横長のブロック状に形成され、端子金具３０Ｌ，３０Ｓが収容される端子収容部１１の上下両面に、中空状のレバー装着部１２が形成されている。レバー装着部１２内には、相手側ハウジング（図示せず）との嵌合を助勢するためのスライドレバー１３が収容され、ハウジング１０の左右いずれかの面から選択的に差し込み装着可能となっている。端子収容部１１の奥端における外周面にはシールリング１４が嵌着され、このシールリング１４によって、相手側ハウジングとの間のシールが図られるようになっている。
【００１３】
端子収容部１１には、大型端子金具３０Ｌが収容される大型キャビティ１５Ｌと、小型端子金具３０Ｓが収容される小型キャビティ１５Ｓとが形成されている。小型キャビティ１５Ｓは、上下３段にわたって図示１０個ずつが横方向に並んで配されている一方、大型キャビティ１５Ｌは、左右両側に上下一対ずつ配されている。大小いずれのキャビティ１５Ｌ，１５Ｓも、ハウジング１０の前後両面に貫通して形成されており、小型キャビティ１５Ｓの後端はハウジング１０の後面１０Ａから小寸法突出し、大型キャビティ１５Ｌは相対的に大寸法突出している。
【００１４】
大型端子金具３０Ｌ並びに小型端子金具３０Ｓは、図４及び図１５に示すように、ともに導電性に優れた金属板材をプレス加工して形成され、各端子金具３０Ｌ，３０Ｓのバレル部３１には、対応する電線３２の端末がゴム栓３３ともどもかしめ圧着されている。各端子金具３０Ｌ，３０Ｓは、対応するキャビティ１５Ｌ，１５Ｓ内にそれぞれ後方から挿入され、キャビティ１５Ｌ，１５Ｓ内に形成されたランス１７と、ハウジング１０に装着されたリテーナ１８とで二重に抜け止めが図られる。併せて、ゴム栓３３がキャビティ１５Ｌ，１５Ｓの入口１６を塞ぎ、キャビティ１５Ｌ，１５Ｓ内への水の浸入を防ぐようになっている。  
言い換えると各電線３２は、対応するキャビティ１５Ｌ，１５Ｓの後端の開口（入口１６）から後方に引き出された状態となる。
【００１５】
ハウジング１０の後面１０Ａには、詳しくは後記するようにカバー４０が装着されるようになっており、同後面１０Ａには、ひけ防止のために肉抜き部２０が形成されている。肉抜き部２０は断面横長形状をなし、図３に示すように、小型キャビティ１５Ｓの形成領域の上方位置と下方位置とにおいて、それぞれ図示５個ずつが隔壁２１を介して横方向に並んで形成されている。  
また、同ハウジング１０の後面１０Ａには、カバー４０に対して係止可能な４枚の係止片２３が形成されている。各係止片２３は、大小キャビティ１５Ｌ，１５Ｓの形成領域の四隅、より詳細には、左右の大型キャビティ１５Ｌの上下の位置に配されている。上側の係止片２３は上側の肉抜き部２０の上縁に沿い、また下側の係止片２３は下側の肉抜き部２０の下縁に沿って、それぞれ水平姿勢で後方に向けて突出形成されている。各係止片２３は先細りの平面山形をなし、各係止片２３の先端における外面には、係止突部２４が形成されている。
【００１６】
続いて、カバー４０について説明する。カバー４０は合成樹脂製であって、図５に示すように、一対の半割カバー５０Ｘ，５０Ｙから構成され、詳しくは後記するように、両半割カバー５０Ｘ，５０Ｙの分割端縁部５７Ｘ，５７Ｙを合わせた形態で一体結合され、一体結合されたカバー４０は、前面側（図１の下面側）に、ハウジング１０の後面よりも一回り小さい略長方形をなす開口部４１が形成される。この一体結合されたカバー４０は、全キャビティ１５Ｌ，１５Ｓの後端の入口１６を覆いつつ、開口縁４１Ａを密着させてハウジング１０の後面１０Ａに装着されるようになっている。そして、各キャビティ１５Ｌ，１５Ｓの入口１６から引き出された電線３２は、カバー４０内で屈曲されつつ束ねられ、カバー４０における図１の右側の端面に斜め姿勢で形成された電線導出口４２を通して、同図の斜め右後方に導出されるようになっている。
【００１７】
電線導出口４２には、コルゲートチューブ４４が装着可能となっている。コルゲートチューブ４４は蛇腹状の円筒形をなし、電線３２の束を一括して包囲可能となっている。一方、電線導出口４２の内周面には保持面４５が形成され、この保持面４５は、コルゲートチューブ４４の外周面に嵌合可能に突条４６Ａと凹溝４６Ｂとが繰り返された凹凸面として形成されている。したがってコルゲートチューブ４４は、各半割カバー５０Ｘ，５０Ｙの電線導出口４２（第１と第２の半筒部５４Ｘ，５４Ｙ）の間に挟まれて保持されることになる。なお、一方の保持面４５における一の凹溝４６Ｂには、水抜き孔４７が貫通形成されている。
【００１８】
カバー４０の構造についてさらに説明する。以下では、同カバー４０を構成する半割カバー５０Ｘ，５０Ｙのうち、図５の上側に図示されたものを第１半割カバー５０Ｘ、下側に配されたものを第２半割カバー５０Ｙと称する。  
第１半割カバー５０Ｘは、ハウジング１０の幅方向に長い略平坦状をなす上板部５１Ｘと、上板部５１Ｘにおける後縁（ハウジング１０の後面１０Ａに接触する側とは反対側の縁）から略直角に内方へ立ち上がる第１後板部５２Ｘと、上板部５１Ｘにおける左側縁から内方へ立ち上がる第１左板部５３Ｘと、上板部５１Ｘの右側縁から斜め右後方へ延出する第１半筒部５４Ｘと、第１半筒部５４Ｘの前側であって上板部５１Ｘにおける右側縁から内方へ立ち上がる第１右板部５５Ｘとから構成されている。
【００１９】
一方、第２半割カバー５０Ｙは、ハウジング１０の幅方向に長い略平坦状をなす下板部５１Ｙと、下板部５１Ｙにおける後縁から略直角に内方へ立ち上がる第２後板部５２Ｙと、下板部５１Ｙにおける左側縁から内方へ立ち上がる第２左板部５３Ｙと、下板部５１Ｙの右側縁から斜め右後方へ延出する第２半筒部５４Ｙと、第２半筒部５４Ｙの前側であって下板部５１Ｙにおける右側縁から内方へ立ち上がる第２右板部５５Ｙとから構成されている。
【００２０】
第１半割カバー５０Ｘと第２半割カバー５０Ｙとが組み付けられると、第１後板部５２Ｘ、第１左板部５３Ｘ、第１半筒部５４Ｘ及び第１右板部５５Ｘの下縁（以下、第１分割端縁部５７Ｘ）と、第２後板部５２Ｙ、第２左板部５３Ｙ、第２半筒部５４Ｙ及び第２右板部５５Ｙの上縁（以下、第２分割端縁部５７Ｙ）とが接合するようになっている。  
また、上板部５１Ｘ、第１右板部５５Ｘ及び第１左板部５３Ｘの前縁により開口縁４１Ａの上側部分が構成され、下板部５１Ｙ、第２右板部５５Ｙ及び第２左板部５３Ｙの前縁により開口縁４１Ａの下側部分が構成される。さらに一部既述したが、第１半筒部５４Ｘと第２半筒部５４Ｙとにより電線導出口４２が構成される。
【００２１】
第２半割カバー５０Ｙにおける第２分割端縁部５７Ｙの外面には、全長にわたり、相手の第１半割カバー５０Ｘの第１分割端縁部５７Ｘの外面を覆う覆い部５９が張り出し形成されている。  
この覆い部５９には、ロック片６０が形成されている。ロック片６０は、図７に示すように、第２後板部５２Ｙの左端寄りの位置と、第２左板部５３Ｙと、第２半筒部５４Ｙの前後両側との計４箇所に設けられている。各ロック片６０は、その先端が、覆い部５９の張り出し端よりも所定寸法突出した形態で形成されているとともに、各ロック片６０には後記する相手のロック突部６３が嵌合可能なロック孔６１が開口されて枠状に形成されている。より詳細には、図１０に示すように、ロック孔６１は、ロック片６０の先端縁から少し内部に入った位置から、第２分割端縁部５７Ｙの端面５７Ｙａと対応する位置に亘る領域に形成されており、第２左板部５３Ｙに設けられたロック片６０には１個のロック孔６１が、それ以外の３枚のロック片６０には、２個のロック孔６１が幅方向に並んで形成されている。
【００２２】
一方、第１半割カバー５０Ｘにおける第１分割端縁部５７Ｘの外面には、上記した各ロック片６０のロック孔６１に嵌合可能なロック突部６３が形成されている。ロック突部６３は、上記した各ロック片６０と対応した位置、すなわち第１後板部５２Ｘの左端寄りの位置と、第１左板部５３Ｘと、第１半筒部５４Ｘの前後両側との計４箇所に設けられ、第１左板部５３Ｘには１個のロック突部６３が形成され、それ以外の３箇所には、２個のロック突部６３が並んで形成されている。  
各ロック突部６３は、図１０に示すように、第１分割端縁部５７Ｘの端面５７Ｘａと対応する位置から若干内側に入った位置において立ち上がり形成されている。ロック突部６３におけるロック片６０と対向する面は、奥側に向けて上り勾配となった傾斜状に形成されてガイド面６４となっている。
【００２３】
上記したロック片６０とロック突部６３の４組について、第２後板部５２Ｙと第１後板部５２Ｘのロック片６０とロック突部６３の組を第１ロック機構部６５Ａ、第２左板部５３Ｙと第１左板部５３Ｘのロック片６０とロック突部６３の組を第２ロック機構部６５Ｂ、第２半筒部５４Ｙと第１半筒部５４Ｘにおける前側のロック片６０とロック突部６３の組を第３ロック機構部６５Ｃ、及び、第２半筒部５４Ｙと第１半筒部５４Ｘにおける後側のロック片６０とロック突部６３の組を第４ロック機構部６５Ｄとそれぞれ称する。
【００２４】
第１半割カバー５０Ｘの第１分割端縁部５７Ｘのうち、第１後板部５２Ｘの屈曲部分からロック突部６３の形成位置に亘る領域には、図６及び図８に示すように、同第１分割端縁部５７Ｘの内面側から、電線押さえ片６７が下方に向けて張り出し形成されている。この電線押さえ片６７は、相手の第２半割カバー５０Ｙにおける第２後板部５２Ｙの内面に沿って進入可能であって、電線３２の屈曲部分を内側に押さえ込みことに機能する（図１６参照）。  
なお、第１半筒部５４Ｘと第２半筒部５４Ｙの付け根側の内面には、互いに対をなして電線３２の束を囲い込むことに機能する電線保持部６８Ｘ，６８Ｙが形成されている。
【００２５】
カバー４０をハウジング１０の後面１０Ａに装着する部分の構造を説明する。第１半割カバー５０Ｘの上板部５１Ｘと、第２半割カバー５０Ｙの下板部５１Ｙの前端部には、それぞれ一対ずつの第１係止壁部７０Ｘと第２係止壁部７０Ｙとが形成されている。それらの係止壁部７０Ｘ，７０Ｙは、第１半割カバー５０Ｘと第２半割カバー５０Ｙがハウジング１０に取り付けられる際に、ハウジング１０の後面１０Ａに突設された対応する係止片２３の外面側に被さることが可能に形成されており、それぞれ対応する各係止片２３の係止突部２４が嵌合可能な係止孔７１が開口されている。
【００２６】
上板部５１Ｘと下板部５１Ｙの前縁には、図６及び図７に示すように、両係止壁部７０Ｘの間と、両係止壁部７０Ｙの間において、同前縁がそれぞれ内側に拡幅されることによって、第１遮蔽壁７３Ｘと第２遮蔽壁７３Ｙとが形成されている。両遮蔽壁７３Ｘ，７３Ｙは、カバー４０がハウジング１０の後面１０Ａに装着される際、同後面１０Ａに対して面当たり可能となっている。  
第１遮蔽壁７３Ｘと第２遮蔽壁７３Ｙのそれぞれの内方の端縁には、ハウジング１０の後面１０Ａと対向する側に突出した遮水片７４が、３枚ずつ形成されている。上下の遮水片７４は、ハウジング１０の後面１０Ａに形成された上下５個ずつの肉抜き部２０のうち、中央の３個の肉抜き部２０に対して差し込み可能とされている。
【００２７】
さて、第１半割カバー５０Ｘの第１分割端縁部５７Ｘと、第２半割カバー５０Ｙの第２分割端縁部５７Ｙとの互いに対向した端面５７Ｘａ，５７Ｙａについて、その全長のうちの所定の箇所では、両端面５７Ｘａ，５７Ｙａの形状に変更が加えられている。  
詳細には、ロック片６０とロック突部６３の組である４つのロック機構部６５Ａ〜６５Ｄのうち、第２半割カバー５０Ｙの第２後板部５２Ｙと第１半割カバー５０Ｘの第１後板部５２Ｘに設けられたロック片６０とロック突部６３からなる第１ロック機構部６５Ａを除いた、他の３つの第２〜第４ロック機構部６５Ｂ〜６５Ｄが設けられた箇所において、第１分割端縁部５７Ｘと第２分割端縁部５７Ｙとの互いに対向した端面５７Ｘａ，５７Ｙａの形状に変更が加えられている。
【００２８】
代表して、第２半筒部５４Ｙと第１半筒部５４Ｘにおける後側のロック片６０とロック突部６３の組である第４ロック機構部６５Ｄが設けられた部分について、図１１並びに図１３，図１４によって説明する。  
第１分割端縁部５７Ｘの端面５７Ｘａのうち第４ロック機構部６５Ｄを構成するロック突部６３が設けられた位置に対応する箇所では、同ロック突部６３の幅よりも大きい領域、例えば対向するロック片６０の幅に相当する領域に亘り、同端面５７Ｘａの厚さ方向の外端から内端に向けて次第に突出した傾斜面７５Ｘとして形成されている。一方、第２分割端縁部５７Ｙの端面５７Ｙａのうち第４ロック機構部６５Ｄを構成するロック片６０が設けられた位置に対応する箇所では、ロック片６０の幅に相当する領域、すなわち上記した傾斜面７５Ｘの形成領域と等しい領域に亘り、同端面５７Ｙａの厚さ方向の外端から内端に向けて次第に後退した同角度の傾斜面７５Ｙとして形成されている。
【００２９】
詳しくは後記するように、図１３の状態から第１半割カバー５０Ｘの第１分割端縁部５７Ｘと、第２半割カバー５０Ｙの第２分割端縁部５７Ｙとが互いに突き合わされると、ロック片６０の先端が弾性的に傾動してロック突部６３を乗り越え、図１４に示すように、対向する傾斜面７５Ｘ，７５Ｙ同士が当接したところで、ロック孔６１の前縁がロック突部６３の後面を通過することにより、ロック片６０が復動変形しつつロック突部６３がロック孔６１内に嵌ってロックされるようになっている。  
ここで、ロック片６０が言わば片持ち状に形成されている場合において、ロック片６０が弾性変位してロック突部６３に係止することを可能とするためには、傾斜面７５Ｘ，７５Ｙ同士が接合した状態において、ロック片６０のロック孔６１の前縁と、ロック突部６３の後面との間には、所定のクリアランスａが必要となる。  
一方、上記のように互いに対向した傾斜面７５Ｘ，７５Ｙ同士が当接するということは、いわゆる合わせ目７６が、端面５７Ｘａ，５７Ｙａの厚さ方向においてオーバラップしていることを意味しており、上記した傾斜面７５Ｘ，７５Ｙの角度は、同オーバラップの領域ｂがクリアランスａよりも大きくなるだけの角度に設定されている。
【００３０】
他の２箇所の第２ロック機構部６５Ｂと第３ロック機構部６５Ｃが設けられた箇所でも同様に、ロック突部６３が設けられた第１分割端縁部５７Ｘの端面５７Ｘａでは、同端面５７Ｘａの厚さ方向の外端から内端に向けて次第に突出した傾斜面７５Ｘとして形成され、ロック片６０が設けられた第２分割端縁部５７Ｙの端面５７Ｙａでは、同端面５７Ｙａの厚さ方向の外端から内端に向けて次第に後退した傾斜面７５Ｙとして形成されている。
なお、図１１に示すように、第１半筒部５４Ｘにおける第１分割端縁部５７Ｘの端面５７Ｘａにおいて、傾斜面７５Ｘが形成された領域では、保持面４５に設けられた突条４６Ａの両端面が、傾斜面７５Ｘの内端位置まで突出している一方、第２半筒部５４Ｙにおける第２分割端縁部５７Ｙの端面５７Ｙａにおいて、傾斜面７５Ｙが形成された領域では、保持面４５に設けられた突条４６Ａの両端面が、逆に傾斜面７５Ｙの内端位置まで後退している。
【００３１】
続いて、本実施形態の作用を説明する。  
カバー４０をハウジング１０に組み付ける際には、図１５に示すように、ハウジング１０の後面１０Ａを上側に向けて設置し、第１半割カバー５０Ｘと第２半割カバー５０Ｙとをそれぞれ上方からハウジング１０に接近させる。  
そしてまず、第１半割カバー５０Ｘの左右の係止壁部７０Ｘを対応する係止片２３の外面に被せて、係止突部２４を係止孔７１に嵌合させつつ、図１６に示すように、遮水片７４を対応する肉抜き部２０に差し込む。そののち同第１半割カバー５０Ｘを、内面が上方に開くように斜めに傾けて、電線３２の束に予め外嵌されたコルゲートチューブ４４の端部を第１半筒部５４Ｘの保持面４５に嵌め込む。これに伴い、電線３２の束のうちコルゲートチューブ４４の端部からハウジング１０の後面側に露出した部分が、電線保持部６８Ｘ内に収められる。続いて、第２半割カバー５０Ｙを同様に、左右の係止壁部７０Ｙを対応する係止片２３の外面に被せて、係止突部２４を係止孔７１に嵌合させつつ、遮水片７４を対応する肉抜き部２０に差し込む。
【００３２】
次に、第２半筒部５４Ｙの保持面４５をコルゲートチューブ４４の端末部に嵌合させつつ、第１分割端縁部５７Ｘと第２分割端縁部５７Ｙとが突き合うように両半割カバー５０Ｘ，５０Ｙを接近させる。このとき、第１半割カバー５０Ｘ側に押し付けられた電線３２の束が外側にはみ出そうとしても電線押さえ片６７でそれが阻まれ、第１分割端縁部５７Ｘと第２分割端縁部５７Ｙとの間に電線３２が噛み込まれることが防がれる。  
第１半割カバー５０Ｘと第２半割カバー５０Ｙとが閉じられると、第２半割カバー５０Ｙの覆い部５９が、第１半割カバー５０Ｘの第１分割端縁部５７Ｘの外面に被さるようになり、そのとき、図１１に示すように、各ロック機構部６５Ａ〜６５Ｄを構成するロック片６０の先端が、対応するロック突部６３のガイド面６４に当たり、ロック片６０はガイド面６４の傾斜に倣って弾性撓みしつつロック突部６３に乗り上げ、傾斜面７５Ｘ，７５Ｙ同士を含めて第１と第２の分割端縁部５７Ｘ，５７Ｙの対向した端面５７Ｘａ，５７Ｙａ同士が当接したところで、ロック孔６１の前縁がロック突部６３の後面を通過することにより、図１２及び図１７に示すように、ロック片６０が復動変形しつつロック突部６３がロック孔６１内に嵌って係止される。これにより、第１半割カバー５０Ｘと第２半割カバー５０Ｙとは、合わせ目７６の長さ方向に沿った都合４箇所において係止状態にロックされる。
【００３３】
併せて、ハウジング１０の後面１０Ａに突設された各係止片２３に対して斜め外側に傾いていた各係止壁部７０Ｘ，７０Ｙが、係止片２３の板面に対してほぼ平行な姿勢となり、図１７に示すように、係止壁部７０Ｘ，７０Ｙの係止孔７１に係止片２３の係止突部２４が正規に深く嵌合する。これにより、ロック機構部６５Ａ〜６５Ｄで一体結合されたカバー４０が、ハウジング１０の後面１０Ａに対して正規に取り付けられた状態にロックされることとなる。
【００３４】
上記のように組み付けられたコネクタＣが例えば自動車のエンジンルームに配設される場合は、エンジンルーム内に予め設けられた相手コネクタ（図示せず）に対して嵌合接続される場合が多く、例えば本実施形態のコネクタＣは、平面視で図１の左右反転させた姿勢において相手コネクタに対して嵌合されている。その場合は、同コネクタＣの後面側には嵌合操作用のスペースが必要となる。  
このことは、洗車を行った際に高圧洗浄水が同スペースを浸入し、カバー４０を含めてハウジング１０の後面１０Ａ側に当たりやすいことを意味し、特に両半割カバー５０Ｘ，５０Ｙの後面側における分割端縁部５７Ｘ，５７Ｙの突き合わせ部分すなわち合わせ目７６が、洗浄水の浸入方向と正対することになる。
【００３５】
一方、両半割カバー５０Ｘ，５０Ｙを合体状態にロックする手段として、弾性撓みする片持ち状のロック片６０を相手のロック突部６３に係止する機構を採用した場合において、ロック片６０が弾性変位してロック突部６３に係止することを可能とするためには、両分割端縁部５７Ｘ，５７Ｙの端面５７Ｘａ，５７Ｙａ同士が当接した状態において、ロック片６０のロック孔６１の前縁と、ロック突部６３の後面との間には、所定のクリアランスａが必要となる。  
そして、このクリアランスａがあるために、両半割カバー５０Ｘ，５０Ｙの合わせ目７６が開いて隙間ができる可能性があり、上記のように高圧洗浄水が合わせ目７６に当たると、隙間から浸入するおそれがある。
【００３６】
ここで両半割カバー５０Ｘ，５０Ｙの分割部分において、４個のロック機構部６５Ａ〜６５Ｄが設けられた箇所以外では、第２半割カバー５０Ｙの第２分割端縁部５７Ｙに設けられた覆い部５９が、第１半割カバー５０Ｘの第１分割端縁部５７Ｘの外面を覆って配されることにより、仮に両半割カバー５０Ｘ，５０Ｙの合わせ目７６が開いても覆い部５９で覆われ、浸水そのものが規制される。  
一方、ロック機構部６５Ａ〜６５Ｄが設けられた箇所では、ロック片６０に開口されたロック孔６１を通して、両半割カバー５０Ｘ，５０Ｙの合わせ目７６が外部に露出する。ただし、第１ロック機構部６５Ａが設けられた箇所には、第１分割端縁部５７Ｘの内面側から電線押さえ片６７が張り出し形成されているから、同部分の合わせ目７６も実質的に塞がれた状態となる。  
したがって、他の３箇所の第２〜第４のロック機構部６５Ｂ〜６５Ｄでは、対応するロック片６０のロック孔６１を通して両半割カバー５０Ｘ，５０Ｙの合わせ目７６が外部に露出することとなり、特に第１半筒部５４Ｘと第２半筒部５４Ｙにおける後側のロック片６０とロック突部６３の組である第４ロック機構部６５Ｄが設けられた部分では、両半割カバー５０Ｘ，５０Ｙの合わせ目７６がほぼ後方を向いて露出した状態となる。
【００３７】
そのため洗車を行うに際して、コネクタＣの後面側から高圧洗浄水が向けられた場合、両半割カバー５０Ｘ，５０Ｙの合わせ目７６に隙間ができると、特に第４ロック機構部６５Ｄの配設位置において、図１２の矢線ｗに示すように、同隙間に向けて洗浄水が当てられることになる。しかしながら、同箇所では、第１分割端縁部５７Ｘと第２分割端縁部５７Ｙの対向した端面５７Ｘａ，５７Ｙａが傾斜面７５Ｘ，７５Ｙとして形成され、すなわち合わせ目７６が、第１分割端縁部５７Ｘと第２分割端縁部５７Ｙの端面５７Ｘａ，５７Ｙａの厚さ方向に対して斜め姿勢をなしているから、合わせ目７６に隙間ができて同隙間に洗浄水が勢い良く浸入したとしても、特に内側（第１分割端縁部５７Ｘ側）の傾斜面７５Ｘに当たることで洗浄水の勢いが抑えられ、すなわち高圧の洗浄水が勢い良くカバー４０の内部に浸入することが防がれる。
【００３８】
また、ロック突部６３が第１分割端縁部５７Ｘの外面の端縁に形成されていると、合わせ目７６付近に向けられた洗浄水のうち、ロック突部６３のガイド面６４に当たった水が、同ガイド面６４に沿って流下してそのまま合わせ目７６の隙間に浸入する可能性がある。その点、この実施形態では、ロック突部６３が、第１分割端縁部５７Ｘの外面の端縁から内側に入った位置に形成されているから、合わせ目７６付近に洗浄水が向けられた場合、端縁に当たった水はそのまま跳ね返され、またロック突部６３のガイド面６４に沿って流下する水があった場合にはその跳ね返った水により合わせ目７６に向かうことが邪魔され、もって合わせ目７６の隙間に浸入する水量そのものが減少される。
【００３９】
他の第２と第３ロック機構部６５Ｂ，６５Ｃの配設位置でも、両半割カバー５０Ｘ，５０Ｙの合わせ目７６が外部に露出しているため、同合わせ目７６が開いた状態となると、例えば、同コネクタＣの近隣に配設された機器等に当たって跳ね返った高圧洗浄水が、その合わせ目７６の隙間に向けられる可能性があるが、それらの場所でも同様に、第１分割端縁部５７Ｘと第２分割端縁部５７Ｙの合わせ目７６が斜めに形成されているから、合わせ目７６に隙間ができて洗浄水が勢い良く浸入したとしても途中で勢いが抑えられ、洗浄水が勢い良くカバー４０の内部に浸入することが防がれる。ロック突部６３が、第１分割端縁部５７Ｘの外面の端縁から内側に入った位置に形成されていることで、合わせ目７６の隙間に浸入する水量そのものを減少できることも同様である。  
カバー４０内に浸入した水分は、第１半筒部５４Ｘの保持面４５の凹部４６Ｂに形成された水抜き孔４７を通って外側へ排出されるから、カバー４０内には溜まり難い。
【００４０】
なお、高圧洗浄水の一部が、ハウジング１０の後面１０Ａとカバー４０の開口縁４１Ａとの間に勢い良く当たり、特に同開口縁４１Ａを構成する第１半割カバー５０Ｘの上板部５１Ｘの前縁における長さ方向の中央部と、第２半割カバー５０Ｙの下板部５１Ｙの前縁における長さ方向の中央部と、ハウジング１０の後面１０Ａとの間から洗浄水が浸入する可能性がある。しかしながら、上板部５１Ｘと下板部５１Ｙとの前縁における長さ方向の中央部には、それぞれ内側に拡幅された遮蔽壁７３Ｘ，７３Ｙが形成されてハウジング１０の後面１０Ａに面当たりされているし、また両遮蔽壁７３Ｘ，７３Ｙの内方の端縁には遮水片７４が突設されて、ハウジング１０の後面１０Ａの対応する３個の肉抜き部２０に対して差し込まれているから、勢い良く浸入した洗浄水も、遮蔽壁７３Ｘ，７３Ｙと遮水片７４により二重に勢いが抑えられ、同様に洗浄水が勢い良くカバー４０の内部に浸入することが回避される。
【００４１】
以上説明したように本実施形態では、両半割カバー５０Ｘ，５０Ｙの分割部分において、第２〜第４のロック機構部６５Ｂ〜６５Ｄが設けられた３箇所では、ロック片６０のロック孔６１を通して両半割カバー５０Ｘ，５０Ｙの合わせ目７６が外部に露出することとなり、合わせ目７６が開いて隙間ができると、同隙間から高圧洗浄水が浸入する可能性があるが、その合わせ目７６が斜め姿勢で形成されていることによって、洗浄水が勢い良く浸入したとしても途中で勢いが抑えられ、洗浄水が勢い良くカバー４０の内部に浸入することが防がれる。もって、ハウジング１０のキャビティ１５Ｌ，１５Ｓの入口１６に嵌着されたゴム栓３３に洗浄水が強く当たることに起因して、ゴム栓３３を変形させつつキャビティ１５Ｌ，１５Ｓ内に浸水したり、さらにはゴム栓３３を損傷させてしまう等の不具合が生じることを防止できる。
【００４２】
また、ロック機構部６５Ｂ〜６５Ｄを構成するロック突部６３が、第１分割端縁部５７Ｘの外面の端縁から内側に入った位置に形成されているから、合わせ目７６付近に洗浄水が向けられた場合において、端縁に当たった水はそのまま跳ね返され、またロック部のガイド面６４に沿って流下する水があった場合にもその跳ね返った水により合わせ目７６に向かうことが邪魔され、もって合わせ目７６の隙間に浸入する水量そのものを減少させることができる。
【００４３】
＜実施形態２＞
次に、本発明の実施形態２を図１８及び図１９によって説明する。  
この実施形態では、第１分割端縁部５７Ｘと第２分割端縁部５７Ｙとの互いに対向した端面５７Ｘａ，５７Ｙａが、上記実施形態１とは別の形状に変更されている。  
この実施形態２では、ロック突部６３が設けられた側の第１分割端縁部５７Ｘの端面５７Ｘａにおける所定位置では、同端面５７Ｘａの厚さ方向の中央が次第に突出した山形面８０Ｘとして形成される一方、ロック片６０が設けられた側の第２分割端縁部５７Ｙの端面５７Ｙａにおける対向位置では、同端面５７Ｙａの中央部が次第に後退した谷形面８０Ｙとして形成されている。
【００４４】
そのため、この部分における第１と第２の分割端縁部５７Ｘ，５７Ｙの合わせ目８１は、山形（谷形）に屈曲した形状となる。同じく合わせ目８１は、端面５７Ｘａ，５７Ｙａの厚さ方向においてオーバラップしていることを意味しており、山の高さ（谷の深さ）は、同オーバラップの領域ｃが、ロック片６０のロック孔６１の前縁と、ロック突部６３の後面との間のクリアランスａよりも大きくなる寸法に設定されている。
【００４５】
両半割カバー５０Ｘ，５０Ｙの合わせ目８１に隙間ができ、同隙間に向けて高圧洗浄水が当てられたとしても、同箇所では合わせ目８１が山形（谷形）に屈曲されているから、勢い良く浸入した洗浄水は、第１分割端縁部５７Ｘにおける山形面８０Ｘの上側の斜面に当たり、さらに途中で向きが変えられることで勢いが抑えられ、同じく高圧の洗浄水が勢い良くカバー４０の内部に浸入することが防がれる。  
両半割カバー５０Ｘ，５０Ｙの合わせ目８１の形状が、途中で屈曲された山形（谷形）に形成されているから、浸入した水の勢いを抑えることにより有効となる。
【００４６】
＜他の実施形態＞
本発明は上記記述及び図面によって説明した実施形態に限定されるものではなく、例えば次のような実施形態も本発明の技術的範囲に含まれる。  
（１）両半割カバーの分割端縁部の対向した端面の形状は、上記実施形態に例示した傾斜面、山形面と谷形面に限らず、階段状であったり、あるいは曲面状の凹凸嵌合面であってもよく、要は、互いに対向した端面が、その分割端縁部の厚さ方向に対して交差する向きに沿った面部を備えた形状に形成されていればよい。  
（２）上記実施形態とは逆に、第２半割カバーの分割端縁部の端面側を突出させ、第１半割カバーの分割端縁部の端面側を後退させた形状としてもよい。  
（３）ロック突部は、分割端縁部の外面における端縁に沿って設けられていてもよく、そのようなものも本発明の技術的範囲に含まれる。
【００４７】
（４）上記実施形態とは異なり、覆い部が無いような形式のものは、両分割端縁部の対向した端面の形状を、分割端縁部の厚さ方向に対して交差する向きに沿った面部を備えた形状とするのを、全長に亘って設けるようにしてもよい。要は、両半割カバーの合わせ目が外部に露出する部分において、端面形状の変更を施せばよい。  
（５）ロック片は、上記実施形態に例示した枠状のものに限らず、先端に鈎部を備えた板状または棒状であって、同鈎部が相手の分割端縁部の外面に設けられたロック凹部に弾性的に嵌合されるもの等、要は、ロック片が片持ち状で撓み変形可能に設けられたものであれば、本発明を適用して有効となる。
【図面の簡単な説明】
【００４８】
【図１】本発明の実施形態１に係るコネクタの平面図
【図２】ハウジングの外観斜視図
【図３】同背面図
【図４】同側断面図
【図５】カバーの分解斜視図
【図６】第１半割カバーの斜視図
【図７】第２半割カバーの斜視図
【図８】第１半割カバーの底面図
【図９】カバーの結合前の状態の一部切欠左側面図
【図１０】同一部切欠右側面図
【図１１】カバーの結合途中の状態の一部切欠右側面図
【図１２】カバーが結合された状態の一部切欠右側面図
【図１３】両半割カバーのロック前の状態の部分拡大断面図
【図１４】両半割カバーがロックされた状態の部分拡大断面図
【図１５】カバーをハウジングに装着する前の状態を示す側断面図
【図１６】カバーの装着途中の状態の側断面図
【図１７】カバーがハウジングに装着された状態を示す側断面図
【図１８】本発明の実施形態２に係る両半割カバーのロック前の状態の部分拡大断面図
【図１９】その両半割カバーがロックされた状態の部分拡大断面図
【符号の説明】
【００４９】
１０…ハウジング
１０Ａ…後面
１５Ｌ…大型キャビティ
１５Ｓ…小型キャビティ
１６…入口
３２…電線
３０Ｌ…大型端子金具
３０Ｓ…小型端子金具
３３…ゴム栓
４０…カバー（電線カバー）
５０Ｘ…第１半割カバー
５０Ｙ…第２半割カバー
５７Ｘ…第１分割端縁部
５７Ｘａ…（第１分割端縁部Ｘの）端面
５７Ｙ…第２分割端縁部
５７Ｙａ…（第２分割端縁部Ｙの）端面
５９…覆い部
６０…ロック片
６１…ロック孔
６３…ロック突部（ロック部）
６４…ガイド面
７５Ｘ…傾斜面（面部）
７５Ｙ…傾斜面
７６…合わせ目
８０Ｘ…山形面
８０Ｙ…谷形面
８１…合わせ目
【図１】
2010009875.tif 000003
【図２】
2010009875.tif 000004
【図３】
2010009875.tif 000005
【図４】
2010009875.tif 000006
【図５】
2010009875.tif 000007
【図６】
2010009875.tif 000008
【図７】
2010009875.tif 000009
【図８】
2010009875.tif 000010
【図９】
2010009875.tif 000011
【図１０】
2010009875.tif 000012
【図１１】
2010009875.tif 000013
【図１２】
2010009875.tif 000014
【図１３】
2010009875.tif 000015
【図１４】
2010009875.tif 000016
【図１５】
2010009875.tif 000017
【図１６】
2010009875.tif 000018
【図１７】
2010009875.tif 000019
【図１８】
2010009875.tif 000020
【図１９】
2010009875.tif 000021